(57)【要約】【課題】ＨＤＤ装置の駆動音による利用者への不快感を低減させることができるデータ読み出し装置及びこれを用いた音楽再生装置、データ読み出し方法、並びに、プログラムを提供する。【解決手段】システムマイコンは、ＨＤＤ装置を起動し、楽曲データをバッファメモリに蓄積させる。データ量がＶ２（％）に到達したら、ＨＤＤ装置を休止し、蓄積した楽曲データを放出して音声として再生する。システムマイコンは、楽曲データを解析し、データ残量が所定量Ｖ３（％）以下で楽曲データの振幅レベルがしきい値Ｌａ以上の範囲でＨＤＤ装置の動作が行われるようにＨＤＤ装置を制御する。【選択図】図４
2009266287.tif 000002
【特許請求の範囲】
【請求項１】
楽曲データを記憶するディスクドライブ装置と、
前記楽曲データを一時記憶するバッファメモリと、
前記ディスクドライブ装置から前記楽曲データを読み出し、前記バッファメモリに転送する転送手段と、
前記バッファメモリから前記楽曲データを読み出し、音声として再生する再生手段と、
前記再生手段により再生される楽曲の音量を検出する音量検出手段と、
前記バッファメモリのデータ残量を検出する残量検出手段と、
前記再生される楽曲の音量が、前記音量検出手段により所定音量よりも大きいと判断され、且つ前記バッファメモリのデータ残量が前記残量検出手段により所定残量よりも小さいと判断された場合に、前記ディスクドライブ装置を動作させて前記転送手段に前記楽曲データを転送させ、前記音量が前記所定音量よりも小さい場合に、前記ディスクドライブ装置を休止させる制御手段と、を備える、
ことを特徴とするデータ読み出し装置。
【請求項２】
前記制御手段は、前記楽曲データを解析して得られた音声信号の振幅が所定の判定値より大きいときに、前記楽曲の音量が所定音量よりも大きいと判定する振幅判定手段を備える、
ことを特徴とする請求項１に記載のデータ読み出し装置。
【請求項３】
楽曲データを音声に再生して放音する放音手段と、
前記放音手段により放音された再生楽曲の音声を収音する収音手段と、をさらに備え、
前記制御手段は、前記収音手段により収音された音声を解析して得られた音声信号の振幅が所定の判定値より大きいときに、前記楽曲の音量が所定音量よりも大きいと判定する振幅判定手段を備える、
ことを特徴とする請求項１に記載のデータ読み出し装置。
【請求項４】
前記バッファメモリのデータ残量が前記所定残量よりも小さく、且つ前記楽曲の音量が前記所定音量よりも小さい場合に、
前記制御手段は、前記バッファメモリに転送可能なデータ量を前記バッファメモリの残容量よりも小さくなるように設定して前記ディスクドライブ装置を動作させ、
前記転送手段は、前記転送可能なデータ量の楽曲データを前記バッファメモリに転送する、
ことを特徴とする請求項１乃至３のいずれか１項に記載のデータ読み出し装置。
【請求項５】
前記楽曲データは、当該楽曲の音楽ジャンルを示すジャンル情報を含んでおり、
前記制御手段は、前記楽曲データから前記ジャンル情報を取得するジャンル取得手段を備え、前記バッファメモリの所定残量の値を、前記音楽ジャンルに基づいて設定する、
ことを特徴とする請求項１乃至４のいずれか１項に記載のデータ読み出し装置。
【請求項６】
請求項１乃至５のいずれか１項に記載のデータ読み出し装置から構成される音楽再生装置。
【請求項７】
楽曲データが格納されたディスクドライブ装置を起動する起動ステップと、
前記ディスクドライブ装置から楽曲データを読み出してバッファメモリに記憶させるバッファメモリ記憶ステップと、
前記ディスクドライブ装置を休止させる休止ステップと、
前記バッファメモリに前記楽曲データを放出させ、楽曲を再生する再生ステップと、
再生される楽曲の音量が所定音量よりも大きく、且つ前記バッファメモリのデータ残量が所定残量以下の領域で、前記休止ステップで休止した前記ディスクドライブ装置の動作開始時期を求める動作開始時期決定ステップと、を備える、
ことを特徴とするデータ読み出し方法。
【請求項８】
コンピュータに、
楽曲データが格納されたディスクドライブ装置を起動する起動ステップと、
前記ディスクドライブ装置から楽曲データを読み出してバッファメモリに記憶させるバッファメモリ記憶ステップと、
前記ディスクドライブ装置を休止させる休止ステップと、
前記バッファメモリに前記楽曲データを放出させ、楽曲を再生する再生ステップと、
再生される楽曲の音量が所定音量よりも大きく、且つ前記バッファメモリのデータ残量が所定残量以下の領域で、前記休止ステップで休止した前記ディスクドライブ装置の動作開始時期を求める動作開始時期決定ステップと、
を実行させるプログラム。
【発明の詳細な説明】
【技術分野】
【０００１】
本発明は、ＨＤＤ（Hard Disk Drive）装置を備えるデータ読み出し装置及びこれを用いた音楽再生装置、データ読み出し方法、並びに、プログラムに関する。
【背景技術】
【０００２】
例えば映像音声再生装置において、再生される音声情報以外に機器から発生する騒音等による利用者への不快感を低減させる技術が提案されている（例えば、特許文献１）。
【０００３】
特許文献１に開示された映像音声再生装置は、ＤＶＤ（Digital Versatile Disk）から再生される音声情報のレベルに基づいて、装置の筐体内部を冷却するファンの回転速度を制御する。
【特許文献１】特開２００６−１７９０７１号公報
【発明の開示】
【発明が解決しようとする課題】
【０００４】
近年、オーディオ機器においてＨＤＤ装置（以下、単にＨＤＤともいう）が用いられることが増えてきている。このようなオーディオ機器の場合、ＨＤＤに予め楽曲データを格納しておき、再生時にはＨＤＤへのアクセスを間欠的に行って楽曲データを読み出す。
【０００５】
楽曲の再生時は、例えば以下のようなプロセスで行われる。まず、ＨＤＤを起動しアクセスする。続いて、ＨＤＤからデータを読み出してバッファメモリに所定の容量までデータを蓄える。その後、ＨＤＤは休止してバッファメモリに蓄えたデータを吐き出すことで音声再生を開始する。そして、メモリ内のデータ残量が所定の量以下となった際に再びＨＤＤへアクセスを行いデータの読み出しを行う。
【０００６】
ＨＤＤにアクセスを行うとＨＤＤ内ではディスクが回転を始め、ヘッドを所定の位置まで動かし、データの読み出しを行うが、その一連の動作において駆動音が発生する。特に、アクセス性能を高めた高回転のＨＤＤでは、駆動音が大きくなりやすい。音楽鑑賞時には、この駆動音がノイズとして聞こえるため、利用者に不快感を与えてしまう。クラシック等の音楽ジャンルにおいては特に、再生音量が小音量となる頻度が高い為に、ＨＤＤの駆動音がなおさら目立ってしまう。
【０００７】
特許文献１に開示された技術は、機器使用時に継続して運転されるファンのような装置の駆動音に対するものであり、ＨＤＤのように間欠駆動される装置の駆動音を目立たせないようにすることは困難である。
【０００８】
本発明は、上記問題点に鑑みてなされたもので、ＨＤＤ装置の駆動音による利用者への不快感を低減させることができるデータ読み出し装置及びこれを用いた音楽再生装置、データ読み出し方法、並びに、プログラムを提供することを目的とする。
【課題を解決するための手段】
【０００９】
上記目的を達成するため、本発明の第１の観点に係るデータ読み出し装置は、
楽曲データを記憶するディスクドライブ装置と、
前記楽曲データを一時記憶するバッファメモリと、
前記ディスクドライブ装置から前記楽曲データを読み出し、前記バッファメモリに転送する転送手段と、
前記バッファメモリから前記楽曲データを読み出し、音声として再生する再生手段と、
前記再生手段により再生される楽曲の音量を検出する音量検出手段と、
前記バッファメモリのデータ残量を検出する残量検出手段と、
前記再生される楽曲の音量が、前記音量検出手段により所定音量よりも大きいと判断され、且つ前記バッファメモリのデータ残量が前記残量検出手段により所定残量よりも小さいと判断された場合に、前記ディスクドライブ装置を動作させて前記転送手段に前記楽曲データを転送させ、前記音量が前記所定音量よりも小さい場合に、前記ディスクドライブ装置を休止させる制御手段と、を備える、
ことを特徴とする。
【００１０】
前記制御手段は、前記楽曲データを解析して得られた音声信号の振幅が所定の判定値より大きいときに、前記楽曲の音量が所定音量よりも大きいと判定する振幅判定手段を備える、
こととしてもよい。
【００１１】
楽曲データを音声に再生して放音する放音手段と、
前記放音手段により放音された再生楽曲の音声を収音する収音手段と、をさらに備え、
前記制御手段は、前記収音手段により収音された音声を解析して得られた音声信号の振幅が所定の判定値より大きいときに、前記楽曲の音量が所定音量よりも大きいと判定する振幅判定手段を備える、
こととしてもよい。
【００１２】
前記バッファメモリのデータ残量が前記所定残量よりも小さく、且つ前記楽曲の音量が前記所定音量よりも小さい場合に、
前記制御手段は、前記バッファメモリに転送可能なデータ量を前記バッファメモリの残容量よりも小さくなるように設定して前記ディスクドライブ装置を動作させ、
前記転送手段は、前記転送可能なデータ量の楽曲データを前記バッファメモリに転送する、
こととしてもよい。
【００１３】
前記楽曲データは、当該楽曲の音楽ジャンルを示すジャンル情報を含んでおり、
前記制御手段は、前記楽曲データから前記ジャンル情報を取得するジャンル取得手段を備え、前記バッファメモリの所定残量の値を、前記音楽ジャンルに基づいて設定する、
こととしてもよい。
【００１４】
本発明の第２の観点に係る音楽再生装置は、上述したデータ読み出し装置から構成されることを特徴とする。
【００１５】
本発明の第３の観点に係るデータ読み出し方法は、
楽曲データが格納されたディスクドライブ装置を起動する起動ステップと、
前記ディスクドライブ装置から楽曲データを読み出してバッファメモリに記憶させるバッファメモリ記憶ステップと、
前記ディスクドライブ装置を休止させる休止ステップと、
前記バッファメモリに前記楽曲データを放出させ、楽曲を再生する再生ステップと、
再生される楽曲の音量が所定音量よりも大きく、且つ前記バッファメモリのデータ残量が所定残量以下の領域で、前記休止ステップで休止した前記ディスクドライブ装置の動作開始時期を求める動作開始時期決定ステップと、を備える、
ことを特徴とする。
【００１６】
本発明の第４の観点に係るプログラムは、
コンピュータに、
楽曲データが格納されたディスクドライブ装置を起動する起動ステップと、
前記ディスクドライブ装置から楽曲データを読み出してバッファメモリに記憶させるバッファメモリ記憶ステップと、
前記ディスクドライブ装置を休止させる休止ステップと、
前記バッファメモリに前記楽曲データを放出させ、楽曲を再生する再生ステップと、
再生される楽曲の音量が所定音量よりも大きく、且つ前記バッファメモリのデータ残量が所定残量以下の領域で、前記休止ステップで休止した前記ディスクドライブ装置の動作開始時期を求める動作開始時期決定ステップと、
を実行させることを特徴とする。
【発明の効果】
【００１７】
本発明によれば、再生される楽曲の音声が大きいときにＨＤＤ装置へのアクセスを行うことにより、ＨＤＤ装置の駆動音を楽曲の音声でマスキングするため、ＨＤＤ駆動音による利用者への不快感を低減させることができる。
【発明を実施するための最良の形態】
【００１８】
以下、本発明の実施の形態に係るデータ読み出し装置について添付図面を参照して説明する。先ず、本発明の第１の実施形態について説明する。
【００１９】
図１に示すように、本実施形態に係る読み出し装置１０は、システムマイコン１１、ＨＤＤ装置１２、バッファメモリ１３、ＤＳＰ（Digital Signal Processor）１４、Ｄ／Ａ（Digital/Analog）コンバータ１５、増幅部１６、出力部１７、操作部１８、及び、表示部１９を備えている。なお、図１中実線の矢印はデータ信号の流れを示し、破線の矢印は制御信号の流れを示す。
【００２０】
システムマイコン１１は、ＨＤＤ装置１２、バッファメモリ１３、ＤＳＰ１４、操作部１８、表示部１９等、読み出し装置１０の機能全般を制御する。また、システムマイコン１１は、後述する所定の処理を記述したプログラムが格納された記憶装置を含む。
【００２１】
ＨＤＤ装置１２は、楽曲データを格納する記憶装置である。図１に示すように、ＨＤＤ装置１２は、駆動用のモータ１２ａを備えている。なお、後述する本実施形態の動作を行うために、ＨＤＤ装置１２に対して、外部から所定の方法で予め楽曲データが記憶されている。
【００２２】
バッファメモリ１３は、ＨＤＤ装置１２から読み出された楽曲データを一時格納しておき、楽曲データを音声として再生する際に、記憶した楽曲データをＤＳＰ１４に放出する記憶装置である。このバッファメモリ１３は、ダブルポートを備えるＦＩＦＯ（First In First Out）のメモリである。また、バッファメモリ１３は、このバッファメモリ１３に記憶しているデータの残量についての情報を、システムマイコン１１に供給する。
【００２３】
ＤＳＰ１４は、システムマイコン１１からの制御により、デジタル音声信号に対してエンコード／デコードの処理を行い、Ｄ／Ａコンバータ１５に送出する。
【００２４】
Ｄ／Ａコンバータ１５は、ＤＳＰ１４から送出されたデジタル音声信号をアナログ音声信号に変換し、増幅部１６に送出する。
【００２５】
増幅部１６は、アナログ変換された音声信号を増幅し、出力部１７に送出する。出力部１７は、入力されたアナログ信号を音声として出力する、例えばスピーカである。
【００２６】
操作部１８は、タッチキー等を備えており、利用者からの楽曲の再生等の指示をシステムマイコン１１に入力する。
【００２７】
表示部１９は、楽曲の再生状況、曲名等の楽曲データに含まれる情報、及び利用者からの指示内容等を表示する。
【００２８】
次に、上記のように構成された本実施形態の読み出し装置１０の動作について説明する前に、従来の読み出し動作について図２を参照して説明する。図２は、バッファメモリ内の楽曲データのデータ量及び再生された音声の振幅レベルと、時間との関係を示すグラフである。
【００２９】
図２に示すように、初期状態（時刻Ｔ１０）ではバッファメモリ内に楽曲データは蓄積されていない。従って、この時点では音声の再生は行われない。
【００３０】
ＨＤＤから読み出された楽曲データは、バッファメモリに蓄積される。この動作は、バッファメモリ内のデータ量がデータ量Ｖ２（％）になるまで行われる。なお、図２にハッチングで示す区間は、ＨＤＤへのアクセスが行われることを示す。
【００３１】
バッファメモリ内のデータ量がデータ量Ｖ２まで蓄積される（時刻Ｔ１１）と、読み出し装置は音声の再生を開始する（時刻ｔ０）。なお、再生される音声情報の振幅レベルは、図２に示すように、所定のしきい値Ｌａを挟んで曲線状に変化する。この変化において、振幅レベルがしきい値Ｌａを上方向又は下方向に通過する時刻をｔ１〜ｔ８で表している。つまり、図２において、時刻ｔ０〜時刻ｔ１、時刻ｔ２〜時刻ｔ３、時刻ｔ４〜時刻ｔ５、時刻ｔ６〜時刻ｔ７は、振幅レベルがしきい値Ｌａより小さい区間である。これに対して、時刻ｔ１〜時刻ｔ２、時刻ｔ３〜時刻ｔ４、時刻ｔ５〜時刻ｔ６、時刻ｔ７〜時刻ｔ８は、振幅レベルがしきい値Ｌａより大きい区間である。
【００３２】
音声の再生が進むに従って、バッファメモリ内のデータ量は減少していき、時刻Ｔ１２にデータ量Ｖ１（％）となる。ここで、再びＨＤＤにアクセスしてバッファメモリに対するデータの蓄積が行われる。なお、データ蓄積の間もデータ量Ｖ１分の音声の再生は継続して行われる。データ量がデータ量Ｖ２になる（時刻Ｔ１３）と、時刻Ｔ１２〜時刻Ｔ１３の間に蓄積されたデータを放出して音声を再生する。時刻Ｔ１４以降についても同様にデータの蓄積と放出とが繰り返して行われる。
【００３３】
図２に示した例では、時刻Ｔ１２〜時刻Ｔ１３の間は時刻ｔ４〜時刻ｔ５に含まれている。即ち、音声情報の振幅レベルがしきい値Ｌａより小さいときにＨＤＤへのアクセスが行われる。これにより、モータ駆動等に起因するＨＤＤの駆動音が利用者に耳障りとなりやすい。
【００３４】
以下、図３，図４に、本実施形態の読み出し装置１０によるデータ読み出し動作を示す。図３は、本実施形態のデータ読み出し処理を示すフローチャートである。図４は、図２と同様の関係を示すグラフである。また、図４において、再生される音声情報の振幅レベルと時間（ｔ０〜ｔ８）との関係も図２と同様である。
【００３５】
図４に示すように、データ読み出し処理が開始されると、先ず、ＨＤＤ装置１２が起動される（ステップＳ１１）。このときの時刻は、図４に示す時刻Ｔ２０であり、バッファメモリ１３内に楽曲データは蓄積されていない。従って、この時点では音声の再生はまだ行われない。
【００３６】
その後、システムマイコン１１がＨＤＤ１２から楽曲データを読み出し、バッファメモリ１３に蓄積する（ステップＳ１２）。この動作は、バッファメモリ１３内のデータ量が所定の記憶最大量Ｖ２（％）になるまで行われる（ステップＳ１３：ＮＯ）。なお、図４にハッチングで示す区間は、ＨＤＤ１１へのアクセスが行われる区間であることを示す。
【００３７】
バッファメモリ１３内のデータ量がデータ量Ｖ２まで蓄積される（時刻Ｔ２１、ステップＳ１３：ＹＥＳ）と、システムマイコン１１は、ＨＤＤ装置１２の動作を休止させる。それとともに、読み出し装置１０は音声の再生を開始する（時刻ｔ０、ステップＳ１４）。
【００３８】
システムマイコン１１は、再生される楽曲データを解析し、データ残量が図４に示すＶ３（％）〜Ｖ１（％）の領域で、バッファメモリ１３に楽曲データを読み込むために、休止していたＨＤＤ装置１２の動作を開始する時刻（以下、読込み時刻という）を設定する。ここでは、時刻ｔ３〜時刻ｔ４の区間で振幅レベルがしきい値Ｌａより大きい範囲での読込みであるので、システムマイコン１１は、データ蓄積最大値をＶ２に設定し（ステップＳ１６）、読込み時刻を求める（ステップＳ１７）。具体的には、システムマイコン１１は、時刻Ｔ２２をＨＤＤ装置１２の読込み時刻とする。
【００３９】
ここで、時刻Ｔ２２を読込み時刻とする理由は以下のとおりである。時刻Ｔ２１から時刻Ｔ２２にかけて減少するデータ量を外挿したとき、データ量Ｖ１の線との交点の時刻をデータ読み出しの終了時刻とし、これに合わせて読込み時刻を決定することとしてもよい。この場合には、読込み時刻が時刻Ｔ２２よりやや遅くなる。しかし、時刻ｔ４において振幅レベルがしきい値Ｌａを通過して小さくなるため、一部ではあるが振幅がしきい値Ｌａより小さくなる時間にアクセスが行われることとなる。そこで、システムマイコン１１は、データ読み出しの終了時刻を時刻ｔ４に対応させて時刻Ｔ２３とし、それに合わせて読込み時刻Ｔ２２を決定する。これにより、ＨＤＤ装置１２へのアクセスを振幅レベルがしきい値Ｌａより大きい間に行うことができる。
【００４０】
その後、処理はステップＳ１１に戻り、システムマイコン１１は、時刻Ｔ２２を読込み時刻として、ＨＤＤ装置１２から楽曲データの読み出しを行う。
【００４１】
その後、データ量がＶ２まで蓄積される（時刻Ｔ２３）と、システムマイコン１１はＨＤＤ装置１２へのアクセスを休止し、バッファメモリ１３に蓄積された楽曲データを放出する。
【００４２】
その後、システムマイコン１１は、データ蓄積最大値をＶ２に設定し（ステップＳ１６）減少するデータ量の軌跡を外挿した線とデータ量Ｖ１との交点（時刻Ｔ２５）がデータ読み出しの終了時刻となるように読込み時刻Ｔ２４を決定する（ステップＳ１７）。そして、処理はステップＳ１１に戻る。
【００４３】
システムマイコン１１は、時刻Ｔ２４〜時刻Ｔ２５の間ＨＤＤ装置１２にアクセスしてデータを読み出し、バッファメモリ１３に蓄積させる。そして、システムマイコン１１は、時刻Ｔ２５になるとＨＤＤ装置１２へのアクセスを休止し、蓄積した楽曲データを放出して音声の再生を行う。
【００４４】
その後、データ量が所定量Ｖ３以下となるが、時刻ｔ６〜時刻ｔ７の区間は振幅レベルがしきい値Ｌａより小さい。そのため、システムマイコン１１は、バッファメモリ１３へのデータ蓄積を、所定の記憶最大量Ｖ４（％）まで行うように設定する（ステップＳ１８）。この記憶最大量Ｖ４は、バッファメモリ１３の最大容量Ｖ２より小さい。
【００４５】
また、システムマイコン１１は、データ量がデータ量Ｖ１になったとき（時刻Ｔ２６）を読込み時刻として決定する（ステップＳ１９）。そして、処理はステップＳ１１に戻る。
【００４６】
このように、記憶最大量Ｖ４を設定することにより、やむを得ず振幅レベルがしきい値Ｌａより小さい区間でＨＤＤ装置１２へのアクセスを行う場合に、従来（例えば図２の時刻Ｔ１２〜時刻Ｔ１３）と比べてＨＤＤ装置１２へのアクセス時間が短くなり、利用者に与える不快感を低減させることができる。
【００４７】
データ蓄積によりデータ量がＶ４になる（時刻Ｔ２７）と、システムマイコン１１はＨＤＤ装置１２へのアクセスを休止し、蓄積した楽曲データを放出して音声の再生を行う。その後、読込み時刻Ｔ２８が時刻Ｔ２４のときと同様に決定される。システムマイコン１１は、時刻Ｔ２８〜時刻Ｔ２９の間ＨＤＤ装置１２にアクセスし、バッファメモリ１３のデータ量がＶ２となるまで楽曲データを蓄積させる。以降、音声の再生が終了するまで図３，図４に示す動作が継続して行われる。
【００４８】
以上説明したように、本実施形態では、再生される楽曲の音声信号を解析し、音量が所定値よりも大きくなるタイミングに合わせてＨＤＤを起動し、音量が所定値よりも小さくなるときにはＨＤＤをなるべく休止させる。これにより、ＨＤＤの駆動音が楽曲の音声でマスキングされることで、不快なノイズ感を無くし快適な音楽鑑賞を行うことができる。
【００４９】
また、図３に示すデータ量Ｖ３〜データ量Ｖ１の間で読込み時刻を適宜調整することにより、より効果的にＨＤＤの駆動音のマスキングを行うことができる。例えば、図３の読込み時刻Ｔ２２の決定にあたっては、振幅レベルがしきい値Ｌａを通過する時刻ｔ４に対応させて終了時刻をＴ２３とし、これに基づいて読込み時刻Ｔ２２を決定した。これに対し、振幅レベルが時刻ｔ３〜時刻ｔ４の間で最大となる時刻（ｔｍ）を読込み時刻となるように設定してもよい。これにより、駆動音が大きくなり利用者に対して不快感を与えやすいＨＤＤアクセスの初期のノイズを効果的に音楽信号でマスキングすることができる。
【００５０】
次に、本発明の第２の実施形態について図５を参照して説明する。
【００５１】
図５に示すように、本実施形態に係る読み出し装置２０は、入力部２１、増幅部２２、及び、Ａ／Ｄ（Analog/Digital）コンバータ２３を備えている点において、図１に示す構成と異なっている。なお、図５において、出力部１７から入力部２１へ伝達される情報は音声であるため、一点鎖線の矢印として他の矢印と区別している。
【００５２】
入力部２１は、出力部１７から出力された音声を取得する、例えばマイクロホンである。入力部２１は取得した音声を電気信号に変換し、増幅部２２に送出する。
【００５３】
増幅部２２は、入力部２１からの音声信号を増幅し、Ａ／Ｄコンバータ２３に送出する。
【００５４】
Ａ／Ｄコンバータ２３は、増幅部２２からの音声信号（アナログ信号）をデジタル変換し、ＤＳＰ１４に送出する。
【００５５】
次に、本実施形態の読み出し装置２０の動作について、第１の実施形態と異なる点を中心に説明する。
【００５６】
本実施形態においては、出力部１７から出力された再生音声を入力部２１で取得する。取得された再生音声は増幅部２２で増幅された後に、Ａ／Ｄコンバータ２３によってアナログ信号からデジタル信号に変換される。そして、デジタル変換された音声信号がＤＳＰ１４に入力される。システムマイコン１１は、ＤＳＰ１４から音声信号情報が供給され、これに基づいてＨＤＤ装置１２へのアクセスを行う。
【００５７】
本実施形態の構成によれば、第１の実施形態のように再生音量をデジタル信号から検出するだけでなく、スピーカ等の出力部１７から放音された音声に基づいて、アナログ信号として音量の検出を行うこともできる。
【００５８】
なお、この発明は上述した実施形態に限定されず、種々の変形及び応用が可能である。
【００５９】
上述の実施形態では、読込み時刻を求めるタイミング区間としてデータ量の所定値Ｖ１％〜Ｖ３％とした。これに対して、デジタルオーディオ信号を復調する際に音楽ジャンルのタグ情報が得られた際には、音楽ジャンル毎にタイミング区間のテーブルを用意しておき、そのタイミング区間の変更を行うこととしてもよい。
【００６０】
例えば、クラシック等のカテゴリにおいては、小音量が長く続き、所定のタイミング区間Ｖ１％〜Ｖ３％の間では絶対的な音量が得られない場合がありえる。そこで、音楽カテゴリが“クラシック”と認識された際には、タイミング区間Ｖ１％〜Ｖ３％を広げることで、最大音量の検出時間を長くしてより高いレベルの最大音量を得る事が出来るようになる。その逆に、音楽カテゴリが“ロック”の場合には大音量となる可能性が高い為に、タイミング区間Ｖ１％〜Ｖ３％を短くする事が可能となる。
【００６１】
また、上述の実施形態では、データ読み出し装置について説明したが、このデータ読み出し装置を用いた音楽再生装置として実施することとしてもよい。また、上述の処理を記述したプログラムとして実施することとしてもよい。
【図面の簡単な説明】
【００６２】
【図１】第１の実施形態に係る読み出し装置の構成を示すブロック図である。
【図２】従来の読み出し装置におけるバッファメモリ内のデータ量及び振幅レベルと時間との関係を示すグラフである。
【図３】第１の実施形態に係る読み出し装置のデータ読み出し処理を示すフローチャートである。
【図４】第１の実施形態に係る読み出し装置におけるバッファメモリ内のデータ量及び振幅レベルと時間との関係を示すグラフである。
【図５】第２の実施形態に係る読み出し装置の構成を示すブロック図である。
【符号の説明】
【００６３】
１０  読み出し装置
１１  システムマイコン
１２  ＨＤＤ装置
１３  バッファメモリ
１４  ＤＳＰ
１５  Ｄ／Ａコンバータ
１６  増幅部
１７  出力部
１８  操作部
１９  表示部
２０  読み出し装置
２１  入力部
２２  増幅部
２３  Ａ／Ｄコンバータ
【図１】
2009266287.tif 000003
【図２】
2009266287.tif 000004
【図３】
2009266287.tif 000005
【図４】
2009266287.tif 000006
【図５】
2009266287.tif 000007